【手続補正書】
【提出日】平成25年10月7日(2013.10.7)
【手続補正１】
【補正対象書類名】特許請求の範囲
【補正対象項目名】全文
【補正方法】変更
【補正の内容】
【特許請求の範囲】
【請求項１】
フェムトセルにおけるページングのための方法において、
複数のフェムトセルを、該複数のフェムトセルの任意のものに対する有効なアクセスを識別する第１の識別子に対応するように割り当てることと、
前記複数のフェムトセルのうちの少なくとも一つを、位置を識別する第２の識別子に対応するように割り当てることと、
前記複数のフェムトセルのうちの少なくとも一つによって、前記第１の識別子を少なくとも一つのアクセス制御コンポーネントに送信することと、
前記複数のフェムトセルのうちの少なくとも一つから、アクセス端末（ＡＴ）に対してアクセスを許可することと、ここで、該ＡＴは第３の識別子を有する、
少なくとも一つの第１の識別子と、少なくとも一つの第２の識別子と、少なくとも一つの第３の識別子とを含むアソシエーションを記憶することと、
前記第１の識別子と、前記第２の識別子と、前記第３の識別子とを使用して、前記複数のフェムトセルのうちの前記少なくとも一つから前記ＡＴにページングすることを含む、
方法。
【請求項２】
前記アクセス制御コンポーネントは、Ｈｏｍｅ ＮｏｄｅＢゲートウェイ（ＨＮＢ−ＧＷ）である請求項１に記載の方法。
【請求項３】
前記第１の識別子は、モビリティ管理エンティティ（ＭＭＥ）、前記ＨＮＢ−ＧＷ、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信されるクローズド加入者グループ識別子（ＣＳＧＩＤ）である、請求項２に記載の方法。
【請求項４】
前記第１の識別子は、クローズド加入者グループ識別子（ＣＳＧＩＤ）であり、
前記第２の識別子は、位置エリアコード（ＬＡＣ）である請求項１に記載の方法。
【請求項５】
前記ＬＡＣは、企業配備における１又は複数のＨｏｍｅ ＮｏｄｅＢ（ＨＮＢ）に対応する請求項４に記載の方法。
【請求項６】
前記ＬＡＣは、住居配備における１又は複数のＨｏｍｅ ＮｏｄｅＢ（ＨＮＢ）に対応する請求項４に記載の方法。
【請求項７】
前記ＬＡＣは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項４に記載の方法。
【請求項８】
前記第３の識別子は、国際移動局識別番号（ＩＭＳＩ）である請求項１に記載の方法。
【請求項９】
前記アクセスは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つを含むネットワーク・エレメントによって、前記ＡＴに対して許可される、請求項１に記載の方法。
【請求項１０】
前記ページングすることは、住居配備において実行される請求項１に記載の方法。
【請求項１１】
前記ページングすることは、企業配備において実行される請求項１に記載の方法。
【請求項１２】
前記アクセスは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つによって、前記ＡＴに対して許可される請求項１に記載の方法。
【請求項１３】
フェムトセルにおいて、
前記フェムトセルを含むフェムトセルグループへの有効なアクセスを識別する第１の識別子を受信し、
位置を識別する第２の識別子を受信し、
前記フェムトセルによって、前記第１の識別子を送信し、
特定のアクセス端末（ＡＴ）のためのページを受信し、ここで、該ページは該特定のＡＴを識別する第３の識別子を含む、
前記第１の識別子と、前記第２の識別子と、前記第３の識別子とを使用して、前記フェムトセルから前記特定のＡＴへページングするための少なくとも一つのプロセッサ及びメモリを含み、
前記特定のＡＴは、他のフェムトセルに登録されており、前記フェムトセル及び前記他のフェムトセルは、前記第１の識別子及び前記第２の識別子により識別される、
フェムトセル。
【請求項１４】
前記第１の識別子は、クローズド加入者グループ識別子（ＣＳＧＩＤ）である請求項１３に記載のフェムトセル。
【請求項１５】
前記ＣＳＧＩＤは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項１４に記載のフェムトセル。
【請求項１６】
前記第２の識別子は、位置エリアコード（ＬＡＣ）である請求項１３に記載のフェムトセル。
【請求項１７】
前記ＬＡＣは、企業配備における１又は複数のＨｏｍｅ ＮｏｄｅＢ（ＨＮＢ）に対応する請求項１６に記載のフェムトセル。
【請求項１８】
前記ＬＡＣは、住居配備における１又は複数のＨｏｍｅ ＮｏｄｅＢ（ＨＮＢ）に対応する請求項１６に記載のフェムトセル。
【請求項１９】
前記ＬＡＣは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項１６に記載のフェムトセル。
【請求項２０】
前記第３の識別子は、国際移動局識別番号（ＩＭＳＩ）である請求項１３に記載のフェムトセル。
【請求項２１】
前記ＡＴは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つを含むネットワーク・エレメントによって、前記フェムトセルに対するアクセスを許可される、請求項１３に記載のフェムトセル。
【請求項２２】
前記ページングすることは、住居配備において実行される請求項１３に記載のフェムトセル。
【請求項２３】
前記ページングすることは、企業配備において実行される請求項１３に記載のフェムトセル。
【請求項２４】
前記ＡＴは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つによって、前記フェムトセルに対するアクセスを許可される請求項１３に記載のフェムトセル。
【請求項２５】
フェムトセル・ゲートウェイにおいて、
複数のフェムトセルに、該第１の複数のフェムトセルの任意のものに対する有効なアクセスを識別する第１の識別子を通信し、
前記複数のフェムトセルのうちの少なくとも一つに、位置を識別する第２の識別子を通信し、
アクセス端末（ＡＴ）アクセス許可信号を、前記複数のフェムトセルのうちの一つのみに送信し、ここで、該ＡＴアクセス許可信号は第３の識別子を有する、
前記第１の識別子と、前記第２の識別子と、前記第３の識別子とを使用して、ＡＴページ信号を、前記複数のフェムトセルのうちの前記少なくとも一つに送信するための少なくとも一つのプロセッサ及びメモリを含む、
フェムトセル・ゲートウェイ。
【請求項２６】
複数のフェムトセルに通信することは、Ｈｏｍｅ ＮｏｄｅＢゲートウェイ（ＨＮＢ−ＧＷ）においてクローズド加入者グループ識別子（ＣＳＧＩＤ）を受信することを含む請求項２５に記載のフェムトセル・ゲートウェイ。
【請求項２７】
前記ＣＳＧＩＤは、モビリティ管理エンティティ（ＭＭＥ）、前記ＨＮＢ−ＧＷ、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項２６に記載のフェムトセル・ゲートウェイ。
【請求項２８】
前記少なくとも一つのプロセッサ及びメモリは、更に、フェムトセルから前記第１の識別子を受信するためのものである請求項２５に記載のフェムトセル・ゲートウェイ。
【請求項２９】
前記第１の識別子は、クローズド加入者グループ識別子（ＣＳＧＩＤ）であり、
前記第２の識別子は、位置エリアコード（ＬＡＣ）であり、
前記第３の識別子は、国際移動局識別番号（ＩＭＳＩ）である請求項２５に記載のフェムトセル・ゲートウェイ。
【請求項３０】
前記ＬＡＣは、企業配備における１又は複数のＨｏｍｅ ＮｏｄｅＢ（ＨＮＢ）に対応する請求項２９に記載のフェムトセル・ゲートウェイ。
【請求項３１】
前記ＬＡＣは、住居配備における１又は複数のＨｏｍｅ ＮｏｄｅＢ（ＨＮＢ）に対応する請求項２９に記載のフェムトセル・ゲートウェイ。
【請求項３２】
前記ＬＡＣは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項２９に記載のフェムトセル・ゲートウェイ。
【請求項３３】
前記ＡＴは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つを含むネットワーク・エレメントによって、前記複数のフェムトセルのうちの前記少なくとも一つに対するアクセスを許可される、請求項２５に記載のフェムトセル・ゲートウェイ。
【請求項３４】
前記フェムトセル・ゲートウェイは、住居配備において存在する、請求項２５に記載のフェムトセル・ゲートウェイ。
【請求項３５】
前記フェムトセル・ゲートウェイは、企業配備において存在する、請求項２５に記載のフェムトセル・ゲートウェイ。
【請求項３６】
前記ＡＴは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つによって、前記複数のフェムトセルのうちの前記少なくとも一つに対するアクセスを許可される請求項２５に記載のフェムトセル・ゲートウェイ。
【請求項３７】
アクセス端末（ＡＴ）において、
第１のフェムトセルに登録し、ここで、該第１のフェムトセルは、該第１のフェムトセルを含むフェムトセルグループへの有効なアクセスを識別する第１の識別子を有する、
前記第１のフェムトセルから、位置を識別する第２の識別子を受信し、
前記第１のフェムトセルからアクセス許可信号を受信し、ここで、該アクセス許可信号は第３の識別子を有する、
少なくとも一つのフェムトセルからページ信号を受信するための少なくとも一つのプロセッサ及びメモリを含み、
前記少なくとも一つのフェムトセルは、前記第１の識別子及び前記第２の識別子により識別される、
アクセス端末。
【請求項３８】
前記第１の識別子は、クローズド加入者グループ識別子（ＣＳＧＩＤ）である請求項３７に記載のアクセス端末。
【請求項３９】
前記ＣＳＧＩＤは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項３８に記載のアクセス端末。
【請求項４０】
前記第２の識別子は、位置エリアコード（ＬＡＣ）である請求項３７に記載のアクセス端末。
【請求項４１】
前記ＬＡＣは、企業配備における１又は複数のＨｏｍｅ ＮｏｄｅＢ（ＨＮＢ）に対応する請求項４０に記載のアクセス端末。
【請求項４２】
前記ＬＡＣは、住居配備における１又は複数のＨｏｍｅ ＮｏｄｅＢ（ＨＮＢ）に対応する請求項４０に記載のアクセス端末。
【請求項４３】
前記ＬＡＣは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項４０に記載のアクセス端末。
【請求項４４】
前記第３の識別子は、国際移動局識別番号（ＩＭＳＩ）である請求項３７に記載のアクセス端末。
【請求項４５】
前記ＡＴは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つを含むネットワーク・エレメントによって、前記第１のフェムトセルに対するアクセスを許可される、請求項３７に記載のアクセス端末。
【請求項４６】
前記ページ信号は、住居配備において受信される請求項３７に記載のアクセス端末。
【請求項４７】
前記ページ信号は、企業配備において受信される請求項３７に記載のアクセス端末。
【請求項４８】
前記ＡＴは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つによって、前記第１のフェムトセルに対するアクセスを許可される請求項３７に記載のアクセス端末。
【請求項４９】
フェムトセルにおけるページングのための方法を実現する有形のコンピュータ読み取り可能な記憶媒体において、前記方法は、
複数のフェムトセルを、該複数のフェムトセルの任意のものに対する有効なアクセスを識別する第１の識別子に対応するように割り当てることと、
前記複数のフェムトセルのうちの少なくとも一つを、位置を識別する第２の識別子に対応するように割り当てることと、
前記複数のフェムトセルのうちの少なくとも一つによって、前記第１の識別子を少なくとも一つのアクセス制御コンポーネントに送信することと、
前記複数のフェムトセルのうちの少なくとも一つから、アクセス端末（ＡＴ）に対してアクセスを許可することと、ここで、該ＡＴは第３の識別子を有する、
少なくとも一つの第１の識別子と、少なくとも一つの第２の識別子と、少なくとも一つの第３の識別子とを含むアソシエーションを記憶することと、
前記第１の識別子と、前記第２の識別子と、前記第３の識別子とを使用して、前記複数のフェムトセルのうちの前記少なくとも一つから前記ＡＴにページングすることを含む、
有形のコンピュータ読み取り可能な記憶媒体。
【請求項５０】
前記第１の識別子は、クローズド加入者グループ識別子（ＣＳＧＩＤ）である請求項４９に記載の有形のコンピュータ読み取り可能な記憶媒体。
【請求項５１】
前記ＣＳＧＩＤは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項５０に記載の有形のコンピュータ読み取り可能な記憶媒体。
【請求項５２】
前記第２の識別子は、位置エリアコード（ＬＡＣ）である請求項４９に記載の有形のコンピュータ読み取り可能な記憶媒体。
【請求項５３】
前記ＬＡＣは、企業配備における１又は複数のＨｏｍｅ ＮｏｄｅＢ（ＨＮＢ）に対応する請求項５２に記載の有形のコンピュータ読み取り可能な記憶媒体。
【請求項５４】
前記ＬＡＣは、住居配備における１又は複数のＨｏｍｅ ＮｏｄｅＢ（ＨＮＢ）に対応する請求項５２に記載の有形のコンピュータ読み取り可能な記憶媒体。
【請求項５５】
前記ＬＡＣは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項５２に記載の有形のコンピュータ読み取り可能な記憶媒体。
【請求項５６】
前記第３の識別子は、国際移動局識別番号（ＩＭＳＩ）である請求項４９に記載の有形のコンピュータ読み取り可能な記憶媒体。
【請求項５７】
前記アクセスは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つを含むネットワーク・エレメントによって、前記ＡＴに対して許可される、請求項４９に記載の有形のコンピュータ読み取り可能な記憶媒体。
【請求項５８】
前記ページングすることは、住居配備において実行される請求項４９に記載の有形のコンピュータ読み取り可能な記憶媒体。
【請求項５９】
前記ページングすることは、企業配備において実行される請求項４９に記載の有形のコンピュータ読み取り可能な記憶媒体。
【請求項６０】
前記アクセスは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つによって、前記ＡＴに対して許可される請求項４９に記載の有形のコンピュータ読み取り可能な記憶媒体。
【請求項６１】
フェムトセルにおけるページングのための装置において、
複数のフェムトセルを、該複数のフェムトセルの任意のものに対する有効なアクセスを識別する第１の識別子に対応するように割り当てるための手段と、
前記複数のフェムトセルのうちの少なくとも一つを、位置を識別する第２の識別子に対応するように割り当てるための手段と、
前記第１の識別子を少なくとも一つのアクセス制御コンポーネントに送信するための手段と、
前記複数のフェムトセルのうちの少なくとも一つから、アクセス端末（ＡＴ）に対してアクセスを許可するための手段と、ここで、該ＡＴは第３の識別子を有する、
少なくとも一つの第１の識別子と、少なくとも一つの第２の識別子と、少なくとも一つの第３の識別子とを含むアソシエーションを記憶するための手段と、
前記第１の識別子と、前記第２の識別子と、前記第３の識別子とを使用して、前記複数のフェムトセルのうちの前記少なくとも一つから前記ＡＴにページングするための手段とを含む装置。
【請求項６２】
前記第１の識別子は、クローズド加入者グループ識別子（ＣＳＧＩＤ）である請求項６１に記載の装置。
【請求項６３】
前記ＣＳＧＩＤは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項６２に記載の装置。
【請求項６４】
前記第２の識別子は、位置エリアコード（ＬＡＣ）である請求項６１に記載の装置。
【請求項６５】
前記ＬＡＣは、企業配備における１又は複数のＨｏｍｅ ＮｏｄｅＢ（ＨＮＢ）に対応する請求項６４に記載の装置。
【請求項６６】
前記ＬＡＣは、住居配備における１又は複数のＨｏｍｅ ＮｏｄｅＢ（ＨＮＢ）に対応する請求項６４に記載の装置。
【請求項６７】
前記ＬＡＣは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つから受信される請求項６４に記載の装置。
【請求項６８】
前記第３の識別子は、国際移動局識別番号（ＩＭＳＩ）である請求項６１に記載の装置。
【請求項６９】
前記ＡＴに対して前記アクセスを許可するための前記手段は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つを含むネットワーク・エレメントを含む請求項６１に記載の装置。
【請求項７０】
前記ページングすることは、住居配備において実行される請求項６１に記載の装置。
【請求項７１】
前記ページングすることは、企業配備において実行される請求項６１に記載の装置。
【請求項７２】
前記ＡＴに対して前記アクセスを許可するための前記手段は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、又はサービングＧＰＲＳサービングノード（ＳＧＳＮ）のうちの少なくとも一つを含む請求項６１に記載の装置。
【手続補正２】
【補正対象書類名】明細書
【補正対象項目名】０１１４
【補正方法】変更
【補正の内容】
【０１１４】
開示された実施形態の前の説明は、当業者が本開示を製造又は使用できるようにするために提供される。これらの実施形態への種々の変形は、当業者には容易に明白になるであろう。また、本明細書で定義された一般的な原理は、本開示の精神又は範囲から逸脱することなく、他の実施形態に適用されても良い。それゆえ、本開示は、本明細書で示された実施形態に限定されることが意図されているのではなく、本明細書で開示された原理及び新規な特徴に合致する最も広い範囲を与えられることが意図されている。
以下に、本願出願の当初の特許請求の範囲に記載された発明を付記する。
［Ｃ１］  フェムトセルにおけるアクセス制御のための方法において、
少なくとも一つのフェムトセルを、該フェムトセルに対する有効なアクセスを識別する第１の識別子に対応するように割り当てることと、
少なくとも一つの第２の識別子及び少なくとも一つの第１の識別子を含むリスト（該第２の識別子はＡＴに対応し、該リストは有効な第１の識別子と第２の識別子のペアを示す）を記憶することと、
フェムトセルにおいて、ＡＴからアクセスのためのリクエストを受信することと、
前記フェムトセルによって、前記第１の識別子を少なくとも一つのアクセス制御コンポーネントに送信することと、
前記リストから、前記ＡＴのための第２の識別子が前記フェムトセルのための有効な第１の識別子に対応するかどうか判定することと、
前記フェムトセルにおいて、前記ＡＴが識別されるならば、前記リクエストに応答して前記ＡＴに対してアクセスを許可することを含む方法。
［Ｃ２］  前記アクセス制御コンポーネントは、Ｈｏｍｅ ＮｏｄｅＢゲートウェイ（ＨＮＢ−ＧＷ）であるＣ１に記載の方法。
［Ｃ３］  前記リストを前記記憶することは、フェムトセル・ゲートウェイにおいて前記リストを記憶することを含むＣ１に記載の方法。
［Ｃ４］  少なくとも一つのフェムトセルを第１の識別子に対応するように割り当てることは、一つのフェムトセルを住居配備における第１の識別子に割り当てることを含むＣ１に記載の方法。
［Ｃ５］  少なくとも一つのフェムトセルを第１の識別子に対応するように割り当てることは、複数のフェムトセルを企業配備における第１の識別子に割り当てることを含むＣ１に記載の方法。
［Ｃ６］  前記第１の識別子は、クローズド加入者グループ識別子（ＣＳＧＩＤ）を含むＣ１に記載の方法。
［Ｃ７］  前記第２の識別子は、国際移動局識別番号（ＩＭＳＩ）を含むＣ１に記載の方法。
［Ｃ８］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ１に記載の方法。
［Ｃ９］  フェムトセルにおいて、
ＡＴからアクセスのためのリクエストを受信し、
前記フェムトセルによって、少なくとも一つの第１の識別子を送信し、
前記ＡＴが前記フェムトセルに対するアクセス権を有するならば、前記リクエストに応答して前記フェムトセルに対する前記ＡＴのアクセスを許可するための少なくとも一つのプロセッサ及びメモリを含み、
前記アクセス権は少なくとも一つの第２の識別子及び少なくとも一つの第１の識別子を含むリストから得られ、第１の識別子は前記フェムトセルに対する有効なアクセスを識別し、第２の識別子はＡＴに対応し、前記リストは有効な第１の識別子と第２の識別子のペアを示すフェムトセル。
［Ｃ１０］  更に前記リストを記憶するＣ９に記載のフェムトセル。
［Ｃ１１］  前記リストを前記記憶することは、フェムトセル・ゲートウェイにおいて前記リストを記憶することを含むＣ１０に記載のフェムトセル。
［Ｃ１２］  前記許可することは、住居配備において実行されるＣ９に記載のフェムトセル。
［Ｃ１３］  前記許可することは、企業配備において実行されるＣ９に記載のフェムトセル。
［Ｃ１４］  前記第１の識別子は、クローズド加入者グループ識別子（ＣＳＧＩＤ）を含むＣ９に記載のフェムトセル。
［Ｃ１５］  前記第２の識別子は、ＩＭＳＩを含むＣ９に記載のフェムトセル。
［Ｃ１６］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ９に記載のフェムトセル。
［Ｃ１７］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ９に記載のフェムトセル。
［Ｃ１８］  フェムトセル・ゲートウェイにおいて、
少なくとも一つの第２の識別子及び少なくとも一つの第１の識別子を含むリスト（第１の識別子は前記フェムトセルに対する有効なアクセスを識別し、第２の識別子はＡＴに対応し、該リストは有効な第１の識別子と第２の識別子のペアを示す）を記憶し、
ＡＴはフェムトセルへのアクセスが有効かどうか判定するためにリクエストを受信し、  前記リストから前記ＡＴが識別されるならば、前記フェムトセルへの前記ＡＴのアクセスを許可するためのインジケーションを生成するための少なくとも一つのプロセッサ及びメモリを含むフェムトセル・ゲートウェイ。
［Ｃ１９］  前記フェムトセル・ゲートウェイは、住居配備において存在するＣ１８に記載のフェムトセル・ゲートウェイ。
［Ｃ２０］  前記フェムトセル・ゲートウェイは、企業配備において存在するＣ１８に記載のフェムトセル・ゲートウェイ。
［Ｃ２１］  前記第１の識別子は、クローズド加入者グループ識別子（ＣＳＧＩＤ）を含むＣ１８に記載のフェムトセル・ゲートウェイ。
［Ｃ２２］  前記第２の識別子は、ＩＭＳＩを含むＣ１８に記載のフェムトセル・ゲートウェイ。
［Ｃ２３］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ１８に記載のフェムトセル・ゲートウェイ。
［Ｃ２４］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ１８に記載のフェムトセル・ゲートウェイ。
［Ｃ２５］  ＡＴはフェムトセルへのアクセスについて有効かどうか判定するためにリクエストを受信することは、モビリティ管理エンティティ（ＭＭＥ）、モバイル・スイッチ・センター（ＭＳＣ）、訪問位置レジスタ（ＶＬＲ）、サービングＧＰＲＳサービングノード（ＳＧＳＮ）のうちの少なくとも一つにより判定されるＣ１８に記載のフェムトセル・ゲートウェイ。
［Ｃ２６］  アクセス端末（ＡＴ）において、
フェムトセルに対するアクセスのためのリクエストを生成し、
前記ＡＴが前記フェムトセルに対するアクセス権を有するならば、前記リクエストに応答して前記フェムトセルに対するアクセスを受信するための少なくとも一つのプロセッサ及びメモリを含み、
前記アクセス権は少なくとも一つの第２の識別子及び少なくとも一つの第１の識別子を含むリストから得られ、第１の識別子は前記フェムトセルに対する有効なアクセスを識別し、第２の識別子はＡＴに対応し、前記リストは有効な第１の識別子と第２の識別子のペアを示すフェムトセル。
［Ｃ２７］  前記フェムトセルは、住居配備において存在するＣ２６に記載のアクセス端末。
［Ｃ２８］  前記フェムトセルは、企業配備において存在するＣ２６に記載のアクセス端末。
［Ｃ２９］  前記第１の識別子は、クローズド加入者グループ識別子（ＣＳＧＩＤ）を含むＣ２６に記載のアクセス端末。
［Ｃ３０］  前記第２の識別子は、ＩＭＳＩを含むＣ２６に記載のアクセス端末。
［Ｃ３１］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ２６に記載のアクセス端末。
［Ｃ３２］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ２６に記載のアクセス端末。
［Ｃ３３］  前記リストは、フェムトセル・ゲートウェイ、Ｈｏｍｅ ＮｏｄｅＢゲートウェイ、モビリティ管理エンティティ（ＭＭＥ）、モバイル・スイッチ・センター（ＭＳＣ）、訪問位置レジスタ（ＶＬＲ）、サービングＧＰＲＳサービングノード（ＳＧＳＮ）のうちの少なくとも一つにより記憶されるＣ２６に記載のアクセス端末。
［Ｃ３４］  フェムトセルにおけるアクセス制御のための方法を実現する有形のコンピュータ読み取り可能な媒体において、前記方法は、
少なくとも一つのフェムトセルを、該フェムトセルに対する有効なアクセスを識別する第１の識別子に対応するように割り当てることと、
少なくとも一つの第２の識別子及び少なくとも一つの第１の識別子を含むリスト（該第２の識別子はＡＴに対応し、該リストは有効な第１の識別子と第２の識別子のペアを示す）を記憶することと、
前記フェムトセルによって、前記第１の識別子を送信することと、
フェムトセルにおいて、ＡＴからアクセスのためのリクエストを受信することと、
前記リストから、前記ＡＴのための第２の識別子が前記フェムトセルのための有効な第１の識別子に対応するかどうか判定することと、
前記フェムトセルにおいて、前記ＡＴが識別されるならば、前記リクエストに応答して前記ＡＴに対してアクセスを許可することを含む有形のコンピュータ読み取り可能な媒体。
［Ｃ３５］  前記リストを前記記憶することは、フェムトセル・ゲートウェイ又はＨｏｍｅ ＮｏｄｅＢゲートウェイにおいて前記リストを記憶することを含むＣ３４に記載の有形のコンピュータ読み取り可能な媒体。
［Ｃ３６］  少なくとも一つのフェムトセルを第１の識別子に対応するように割り当てることは、一つのフェムトセルを住居配備における第１の識別子に割り当てることを含むＣ３４に記載の有形のコンピュータ読み取り可能な媒体。
［Ｃ３７］  少なくとも一つのフェムトセルを第１の識別子に対応するように割り当てることは、複数のフェムトセルを企業配備における第１の識別子に割り当てることを含むＣ３４に記載の有形のコンピュータ読み取り可能な媒体。
［Ｃ３８］  前記第１の識別子は、クローズド加入者グループ識別子（ＣＳＧＩＤ）を含むＣ３４に記載の有形のコンピュータ読み取り可能な媒体。
［Ｃ３９］  前記第２の識別子は、ＩＭＳＩを含むＣ３４に記載の有形のコンピュータ読み取り可能な媒体。
［Ｃ４０］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ３４に記載の有形のコンピュータ読み取り可能な媒体。
［Ｃ４１］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ３４に記載の有形のコンピュータ読み取り可能な媒体。
［Ｃ４２］  フェムトセルにおけるアクセス制御のための装置において、
少なくとも一つのフェムトセルを、該フェムトセルに対する有効なアクセスを識別する第１の識別子に対応するように割り当てるための手段と、
少なくとも一つの第２の識別子及び少なくとも一つの第１の識別子を含むリスト（該第２の識別子はＡＴに対応し、該リストは有効な第１の識別子と第２の識別子のペアを示す）を記憶するための手段と、
前記フェムトセルによって、前記第１の識別子を送信するための手段と、
フェムトセルにおいて、ＡＴからアクセスのためのリクエストを受信するための手段と、
前記リストから、前記ＡＴのための第２の識別子が前記フェムトセルのための有効な第１の識別子に対応するかどうか判定するための手段と、
前記フェムトセルにおいて、前記ＡＴが識別されるならば、前記リクエストに応答して前記ＡＴに対してアクセスを許可するための手段とを含む装置。
［Ｃ４３］  前記リストを前記記憶することは、フェムトセル・ゲートウェイにおいて前記リストを記憶することを含むＣ４２に記載の装置。
［Ｃ４４］  少なくとも一つのフェムトセルを第１の識別子に対応するように割り当てることは、一つのフェムトセルを住居配備における第１の識別子に割り当てることを含むＣ４２に記載の装置。
［Ｃ４５］  少なくとも一つのフェムトセルを第１の識別子に対応するように割り当てることは、複数のフェムトセルを企業配備における第１の識別子に割り当てることを含むＣ４２に記載の装置。
［Ｃ４６］  前記第１の識別子は、クローズド加入者グループ識別子（ＣＳＧＩＤ）を含むＣ４２に記載の装置。
［Ｃ４７］  前記第２の識別子は、ＩＭＳＩを含むＣ４２に記載の装置。
［Ｃ４８］  前記第１の識別子は、クローズド加入者グループ識別子（ＣＳＧＩＤ）を含み、
前記第２の識別子は、ＩＭＳＩを含み、
前記リストは、ＣＳＧＩＤについて有効であるＩＭＳＩのリストを含むＣ４２に記載の装置。
［Ｃ４９］  前記第１の識別子は、クローズド加入者グループ識別子（ＣＳＧＩＤ）を含み、
前記第２の識別子は、ＩＭＳＩを含み、
前記リストは、ＩＭＳＩについて有効である少なくとも一つのＣＳＧＩＤのリストを含むＣ４２に記載の装置。
［Ｃ５０］  フェムトセルにおけるページングのための方法において、
複数のフェムトセルを、該第１の複数のフェムトセルの任意のものに対する有効なアクセスを識別する第１の識別子に対応するように割り当てることと、
前記複数のフェムトセルのうちの少なくとも一つを、位置を識別する第２の識別子に対応するように割り当てることと、
前記フェムトセルによって、前記第１の識別子を少なくとも一つのアクセス制御コンポーネントに送信することと、
前記複数のフェムトセルのうちの少なくとも一つから、ＡＴ（該ＡＴは第３の識別子を有する）に対してアクセスを許可することと、
少なくとも一つの第１の識別子及び少なくとも一つの第２の識別子を含むアソシエーションと、少なくとも一つの第３の識別子とを記憶することと、
前記第１の識別子及び前記第２の識別子と、前記第３の識別子とを使用して、前記複数のフェムトセルのうちの前記少なくとも一つから前記ＡＴにページングすることを含む方法。
［Ｃ５１］  前記アクセス制御コンポーネントは、Ｈｏｍｅ ＮｏｄｅＢゲートウェイ（ＨＮＢ−ＧＷ）であるＣ５０に記載の方法。
［Ｃ５２］  前記第１の識別子は、クローズド加入者グループ識別子（ＣＳＧＩＤ）であり、
前記第２の識別子は、位置エリアコード（ＬＡＣ）であるＣ５０に記載の方法。
［Ｃ５３］  前記第３の識別子は、国際移動局識別番号（ＩＭＳＩ）であるＣ５０に記載の方法。
［Ｃ５４］  ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングノード（ＳＧＳＮ）のうちの少なくとも一つを含むネットワーク・エレメントを含むＣ５０に記載の方法。
［Ｃ５５］  前記ページングすることは、住居配備において実行されるＣ５０に記載の方法。
［Ｃ５６］  前記ページングすることは、企業配備において実行されるＣ５０に記載の方法。
［Ｃ５７］  前記ＬＡＣは、企業配備における１又は複数のＨＮＢに対応するＣ５２に記載の方法。
［Ｃ５８］  前記ＬＡＣは、住居配備における１又は複数のＨｏｍｅ ＮｏｄｅＢ（ＨＮＢ）に対応するＣ５２に記載の方法。
［Ｃ５９］  前記クローズド加入者グループ識別子（ＣＳＧＩＤ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ５１に記載の方法。
［Ｃ６０］  前記位置エリアコード（ＬＡＣ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つから受信されるＣ５２に記載の方法。
［Ｃ６１］  前記ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つにより許可されるＣ５０に記載の方法。
［Ｃ６２］  フェムトセルにおいて、
グループを識別する第１の識別子を受信することと、
位置を識別する第２の識別子を受信することと、
前記フェムトセルによって、前記第１の識別子を送信することと、
特定のＡＴのためのページ（該ページは該特定のＡＴを識別する第３の識別子を含む）を受信することと、
前記第１の識別子及び前記第２の識別子を使用して、前記フェムトセルから前記特定のＡＴ（該特定のＡＴは、該フェムトセルにおいて登録されていない）へページングするための少なくとも一つのプロセッサ及びメモリを含むフェムトセル。
［Ｃ６３］  前記第１の識別子は、クローズド加入者グループ識別子（ＣＳＧＩＤ）であるＣ６２に記載のフェムトセル。
［Ｃ６４］  前記第２の識別子は、位置エリアコード（ＬＡＣ）であるＣ６２に記載のフェムトセル。
［Ｃ６５］  前記第３の識別子は、国際移動局識別番号（ＩＭＳＩ）であるＣ６２に記載のフェムトセル。
［Ｃ６６］  ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングＮｏｄｅＢ（ＳＧＳＮ）のうちの少なくとも一つを含むネットワーク・エレメントを含むＣ６２に記載のフェムトセル。
［Ｃ６７］  前記ページングすることは、住居配備において実行されるＣ６２に記載のフェムトセル。
［Ｃ６８］  前記ページングすることは、企業配備において実行されるＣ６２に記載のフェムトセル。
［Ｃ６９］  前記ＬＡＣは、企業配備における１又は複数のＨＮＢに対応するＣ６４に記載のフェムトセル。
［Ｃ７０］  前記ＬＡＣは、住居配備における１又は複数のＨＮＢに対応するＣ６４に記載のフェムトセル。
［Ｃ７１］  前記クローズド加入者グループ識別子（ＣＳＧＩＤ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ６３に記載のフェムトセル。
［Ｃ７２］  前記位置エリアコード（ＬＡＣ）は、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）、サービングＧＰＲＳサービングＮｏｄｅＢ（ＳＧＳＮ）のうちの少なくとも一つから受信されるＣ６４に記載のフェムトセル。
［Ｃ７３］  前記ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つにより許可されるＣ６２に記載のフェムトセル。
［Ｃ７４］  フェムトセル・ゲートウェイにおいて、
複数のフェムトセルに、該第１の複数のフェムトセルの任意のものに対する有効なアクセスを識別する第１の識別子を通信し、
前記複数のフェムトセルのうちの少なくとも一つに、位置を識別する第２の識別子を通信し、
ＡＴアクセス許可信号（該ＡＴアクセス許可信号は第３の識別子を有する）を、前記複数のフェムトセルのうちの一つのみに送信し、
前記第１の識別子及び前記第２の識別子を使用して、ＡＴページ信号を、前記複数のフェムトセルのうちの前記少なくとも一つに送信するための少なくとも一つのプロセッサ及びメモリを含む。
［Ｃ７５］  複数のフェムトセルに通信することは、Ｈｏｍｅ ＮｏｄｅＢゲートウェイ（ＨＮＢ−ＧＷ）においてＣＳＧＩＤを受信することを含むＣ７４に記載のフェムトセル・ゲートウェイ。
［Ｃ７６］  フェムトセルから第１の識別子を受信することを更に含むＣ７４に記載のフェムトセル・ゲートウェイ。
［Ｃ７７］  前記第１の識別子は、クローズド加入者グループ識別子（ＣＳＧＩＤ）であり、
前記第２の識別子は、位置エリアコード（ＬＡＣ）であり、
前記第３の識別子は、国際移動局識別番号（ＩＭＳＩ）であるＣ７４に記載のフェムトセル・ゲートウェイ。
［Ｃ７８］  ＡＴに対してアクセスを許可することは、モビリティ管理エンティティ（ＭＭＥ）、Ｈｏｍｅ ＮｏｄｅＢゲートウェイ（ＨＮＢ−ＧＷ）、モバイル・スイッチ・センター（ＭＳＣ）、訪問位置レジスタ（ＶＬＲ）のうちの少なくとも一つを含むネットワーク・エレメントを含むＣ７４に記載のフェムトセル・ゲートウェイ。
［Ｃ７９］  前記ページングすることは、住居配備において実行されるＣ７４に記載のフェムトセル・ゲートウェイ。
［Ｃ８０］  前記ページングすることは、企業配備において実行されるＣ７４に記載のフェムトセル・ゲートウェイ。
［Ｃ８１］  前記ＬＡＣは、企業配備における１又は複数のＨＮＢに対応するＣ７６に記載のフェムトセル・ゲートウェイ。
［Ｃ８２］  前記ＬＡＣは、住居配備における１又は複数のＨＮＢに対応するＣ７６に記載のフェムトセル・ゲートウェイ。
［Ｃ８３］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ７５に記載のフェムトセル・ゲートウェイ。
［Ｃ８４］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ７６に記載のフェムトセル・ゲートウェイ。
［Ｃ８５］  前記ＡＴに対してアクセスを許可することは、モビリティ管理エンティティ（ＭＭＥ）、フェムトセル・ゲートウェイ、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ７４に記載のフェムトセル・ゲートウェイ。
［Ｃ８６］  アクセス端末において、
有効なフェムトセルを識別する第１の識別子を有する第１のフェムトセルに登録し、  前記第１のフェムトセルから、位置を識別する第２の識別子を受信し、
第１のフェムトセルからアクセス許可（該アクセス許可は第３の識別子を有する）を受信し、
少なくとも一つのフェムトセルからページ信号を受信するための少なくとも一つのプロセッサ及びメモリを含むアクセス端末。
［Ｃ８７］  前記第１の識別子は、クローズド加入者グループ識別子（ＣＳＧＩＤ）であるＣ８６に記載のアクセス端末。
［Ｃ８８］  前記第２の識別子は、位置エリアコード（ＬＡＣ）であるＣ８６に記載のアクセス端末。
［Ｃ８９］  前記第３の識別子は、国際移動局識別番号（ＩＭＳＩ）であるＣ８６に記載のアクセス端末。
［Ｃ９０］  ＡＴに対してアクセスを許可することは、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つを含むネットワーク・エレメントを含むＣ８６に記載のアクセス端末。
［Ｃ９１］  前記ページングすることは、住居配備において実行されるＣ８６に記載のアクセス端末。
［Ｃ９２］  前記ページングすることは、企業配備において実行されるＣ８６に記載のアクセス端末。
［Ｃ９３］  前記ＬＡＣは、企業配備における１又は複数のＨＮＢに対応するＣ８８に記載のアクセス端末。
［Ｃ９４］  前記ＬＡＣは、住居配備における１又は複数のＨＮＢに対応するＣ８８に記載のアクセス端末。
［Ｃ９５］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ８７に記載のアクセス端末。
［Ｃ９６］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ８６に記載のアクセス端末。
［Ｃ９７］  前記ＡＴに対してアクセスを許可することは、モビリティ管理エンティティ（ＭＭＥ）、アクセス端末、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ８６に記載のアクセス端末。
［Ｃ９８］  フェムトセルにおけるページングのための方法を実現する有形のコンピュータ読み取り可能な媒体において、前記方法は、
複数のフェムトセルを、該第１の複数のフェムトセルの任意のものに対する有効なアクセスを識別する第１の識別子に対応するように割り当てることと、
前記複数のフェムトセルのうちの少なくとも一つを、位置を識別する第２の識別子に対応するように割り当てることと、
前記複数のフェムトセルのうちの少なくとも一つによって、前記第１の識別子を送信することと、
前記複数のフェムトセルのうちの少なくとも一つから、ＡＴ（該ＡＴは第３の識別子を有する）に対してアクセスを許可することと、
少なくとも一つの第１の識別子及び少なくとも一つの第２の識別子を含むアソシエーションと、少なくとも一つの第３の識別子とを記憶することと、
前記第１の識別子及び前記第２の識別子と、前記第３の識別子とを使用して、前記複数のフェムトセルのうちの前記少なくとも一つから前記ＡＴにページングすることを含む有形のコンピュータ読み取り可能な媒体。
［Ｃ９９］  前記第１の識別子は、クローズド加入者グループ識別子（ＣＳＧＩＤ）であるＣ９８に記載の有形のコンピュータ読み取り可能な媒体。
［Ｃ１００］  前記第２の識別子は、位置エリアコード（ＬＡＣ）であるＣ９８に記載の有形のコンピュータ読み取り可能な媒体。
［Ｃ１０１］  前記第３の識別子は、国際移動局識別番号（ＩＭＳＩ）であるＣ９８に記載の有形のコンピュータ読み取り可能な媒体。
［Ｃ１０２］  ＡＴに対してアクセスを許可することは、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つを含むネットワーク・エレメントを含むＣ９８に記載の有形のコンピュータ読み取り可能な媒体。
［Ｃ１０３］  前記ページングすることは、住居配備において実行されるＣ９８に記載の有形のコンピュータ読み取り可能な媒体。
［Ｃ１０４］  前記ページングすることは、企業配備において実行されるＣ９８に記載の有形のコンピュータ読み取り可能な媒体。
［Ｃ１０５］  前記ＬＡＣは、企業配備における１又は複数のＨＮＢに対応するＣ１００に記載の有形のコンピュータ読み取り可能な媒体。
［Ｃ１０６］  前記ＬＡＣは、住居配備における１又は複数のＨＮＢに対応するＣ１００に記載の有形のコンピュータ読み取り可能な媒体。
［Ｃ１０７］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ９９に記載の有形のコンピュータ読み取り可能な媒体。［Ｃ１０８］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ１００に記載の有形のコンピュータ読み取り可能な媒体。
［Ｃ１０９］  前記ＡＴに対してアクセスを許可することは、モビリティ管理エンティティ（ＭＭＥ）、フェムトセル・ゲートウェイ、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ９８に記載の有形のコンピュータ読み取り可能な媒体。
［Ｃ１１０］  フェムトセルにおけるページングのための装置において、
複数のフェムトセルを、該第１の複数のフェムトセルの任意のものに対する有効なアクセスを識別する第１の識別子に対応するように割り当てるための手段と、
前記複数のフェムトセルのうちの少なくとも一つを、位置を識別する第２の識別子に対応するように割り当てるための手段と、
前記フェムトセルによって、前記第１の識別子をに送信するための手段と、
前記複数のフェムトセルのうちの少なくとも一つから、ＡＴ（該ＡＴは第３の識別子を有する）に対してアクセスを許可するための手段と、
少なくとも一つの第１の識別子及び少なくとも一つの第２の識別子を含むアソシエーションと、少なくとも一つの第３の識別子とを記憶するための手段と、
前記第１の識別子及び前記第２の識別子を使用して、前記複数のフェムトセルのうちの前記少なくとも一つから前記ＡＴにページングするための手段とを含む装置。
［Ｃ１１１］  前記第１の識別子は、クローズド加入者グループ識別子（ＣＳＧＩＤ）であるＣ１１０に記載の装置。
［Ｃ１１２］  前記第２の識別子は、位置エリアコード（ＬＡＣ）であるＣ１１０に記載の装置。
［Ｃ１１３］  前記第３の識別子は、国際移動局識別番号（ＩＭＳＩ）であるＣ１１０に記載の装置。
［Ｃ１１４］  ＡＴに対してアクセスを許可することは、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つを含むネットワーク・エレメントを含むＣ１１０に記載の装置。
［Ｃ１１５］  前記ページングすることは、住居配備において実行されるＣ１１０に記載の装置。
［Ｃ１１６］  前記ページングすることは、企業配備において実行されるＣ１１０に記載の装置。
［Ｃ１１７］  前記ＬＡＣは、企業配備における１又は複数のＨＮＢに対応するＣ１１２に記載の装置。
［Ｃ１１８］  前記ＬＡＣは、住居配備における１又は複数のＨＮＢに対応するＣ１１２に記載の装置。
［Ｃ１１９］  前記クローズド加入者グループ識別子（ＣＳＧＩＤ）は、モビリティ管理エンティティ（ＭＭＥ）、ＨＮＢ−ＧＷ、モバイル・スイッチ・センター（ＭＳＣ）、訪問位置レジスタ（ＶＬＲ）、サービングＧＰＲＳサービングノード（ＳＧＳＮ）のうちの少なくとも一つから受信されるＣ１１１に記載の装置。
［Ｃ１２０］  前記位置エリアコード（ＬＡＣ）は、モビリティ管理エンティティ（ＭＭＥ）、ＨＮＢ−ＧＷ、モバイル・スイッチ・センター（ＭＳＣ）、訪問位置レジスタ（ＶＬＲ）のうちの少なくとも一つから受信されるＣ１１２に記載の装置。
［Ｃ１２１］  前記ＡＴに対してアクセスを許可することは、モビリティ管理エンティティ（ＭＭＥ）、フェムトセル・ゲートウェイ、モバイル・スイッチ・センター（ＭＳＣ）、訪問位置レジスタ（ＶＬＲ）、サービングＧＰＲＳサービングノード（ＳＧＳＮ）のうちの少なくとも一つにより許可されるＣ１１０に記載の装置。